(57)【要約】【課題】イヤホンやヘッドホンを使用している利用者に、特定の情報のみの音を割り込ませて伝えることができる通話装置を提供する。【解決手段】任意の内容の音響信号を出力する音源装置（例えばＤＶＤ装置１４）とこの音源装置の出力を再生する再生装置２４との間に挿入される。所定の割り込み音を、外部から受信する割り込み音受信回路３２と、音源装置の出力するオーディオし４１と割り込み音受信回路の出力する割り込み音信号４２とを受け入れて、割り込み音受信回路３２の出力が有効なときは、当該割り込み音受信回路の出力を後続回路に向けて出力する。割り込み音受信回路３２の出力が無効なときは、通話装置１６の出力を再生装置２４側に出力するように、出力信号を選択する割り込み制御回路３３を備えている。【選択図】図２
2006180027.tif 000002
【特許請求の範囲】
【請求項１】
任意の内容の音響信号を出力する音源装置と前記音源装置の出力を再生する再生装置との間に挿入されるものであって、
所定の割り込み音を外部から受信する割り込み音受信回路と、
前記音源装置の出力と前記割り込み音受信回路の出力とを受け入れて、前記割り込み音受信回路の出力が有効なときは、当該割り込み音受信回路の出力を後続回路に向けて出力し、前記割り込み音受信回路の出力が無効なときは、前記音源装置の出力を前記再生装置側に出力するように、出力信号を選択する割り込み制御回路とを備えたことを特徴とする通話装置。
【請求項２】
請求項１記載の通話装置において、
前記音源装置は、音響信号を発信する赤外線ラジエータと、割り込み音を受信するアンテナとを備えたものであることを特徴とする通話装置。
【請求項３】
請求項１記載の通話装置において、
前記再生装置は、イヤホン又はヘッドホンであることを特徴とする通話装置。
【請求項４】
請求項１記載の通話装置において、
前記割り込み音は、マイク音送信機、着呼音送信機、ベル音送信機のいずれかから発信された音であることを特徴とする通話装置。
【発明の詳細な説明】
【技術分野】
【０００１】
本発明は、オーディオ装置の再生音に特定の音を割り込ませることができる通話装置に関する。
【背景技術】
【０００２】
例えば、耳の遠い老人がテレビジョンを鑑賞するときの音量を抑えたい場合は、長いコードの付いたイヤホンやヘッドホンを使用する。一般の人でも、大サイズのディスプレイを使用してＤＶＤの鑑賞をするような場合、画面から離れた場所で臨場感のある画面を鑑賞しようとすると、イヤホンやヘッドホンを使用することで、周辺への騒音を抑えることができる。この目的のために、コードレスの音声受信装置等も市販されている（特許文献１）。
【０００３】
また、高声による通話を可能とする端末に併用されることによって難聴者の通話に供される難聴者通話支援装置が知られている（特許文献２）。この難聴者通話支援装置が組み込まれた通話装置により、健常者がごく普通に高声による通話をしながら、並行して難聴者にも通話内容を聞かせることができる。
【特許文献１】特開平７−１０７０３８号公報
【特許文献２】特開平１１−２２０５２５号公報
【発明の開示】
【発明が解決しようとする課題】
【０００４】
ここで、従来の通話装置には、次のような解決すべき課題があった。
高音質でテレビジョンやＤＶＤの音を聞くときに、赤外線ラジエータとヘッドホンとを組み合わせた装置が利用できるが、ヘッドホンを装着していると、周囲の音が全く聞こえない。
従って、一般の人でも、こうした状況では、周囲の人との意思疎通が阻害されたり、電話やインタホンの音が聞こえないという問題があった。
【０００５】
本発明は、以上の課題を解決するためになされたもので、イヤホンやヘッドホンを使用している利用者に、特定の情報のみを割り込ませて伝えることができる通話装置を提供することを目的とする。
【課題を解決するための手段】
【０００６】
本発明の各実施例においては、それぞれ次のような構成により上記の課題を解決する。
〈構成１〉
任意の内容の音響信号を出力する音源装置と上記音源装置の出力を再生する再生装置との間に挿入されるものであって、所定の割り込み音を外部から受信する割り込み音受信回路と、上記音源装置の出力と上記割り込み音受信回路の出力とを受け入れて、上記割り込み音受信回路の出力が有効なときは、当該割り込み音受信回路の出力を後続回路に向けて出力し、上記割り込み音受信回路の出力が無効なときは、上記音源装置の出力を上記再生装置側に出力するように、出力信号を選択する割り込み制御回路とを備えたことを特徴とする通話装置。
【０００７】
ごく一般の人に広く利用することができるが、特に高齢者などにとっては、割り込み音を比較的強い音になるよう制御し、様々な外部からの呼びかけに対し、対応しやすくすることができる。介護用の装置などについても、この装置を利用することができる。また、補聴器を利用してテレビジョンやＤＶＤなどの音を聞いている場合と比べて、聞きたい音のみを再生できたり、周囲の健常者との共存にも問題がないという効果がある。
【０００８】
〈構成２〉
構成１記載の通話装置において、上記音源装置は、音響信号を発信する赤外線ラジエータと、割り込み音を受信するアンテナとを備えたものであることを特徴とする通話装置。
【０００９】
音声を赤外線に乗せて伝送するので、雑音のない、耳にやさしい音を無線で発信できる。
【００１０】
〈構成３〉
構成１記載の通話装置において、上記再生装置は、イヤホン又はヘッドホンであることを特徴とする通話装置。
【００１１】
再生装置は有線式、無線式のいずれでもよい。
【００１２】
〈構成４〉
構成１記載の通話装置において、上記割り込み音は、マイク音送信機、着呼音送信機、ベル音送信機のいずれかから発信された音であることを特徴とする通話装置。
【００１３】
電気機器による画像や音声を鑑賞していても、重要な生活音を聞き逃すことがない。
【発明を実施するための最良の形態】
【００１４】
以下、本発明の実施の形態を実施例ごとに詳細に説明する。
【実施例１】
【００１５】
図１は、実施例１の通話装置の概要を示す説明図である。
図１に示すようにディスプレイ１２には、任意の内容の音響信号を出力する音源装置としてＤＶＤ装置１４が接続されており、ビデオなどの鑑賞ができるように構成されている。ＤＶＤ装置１４には通話装置１６が接続されている。ＤＶＤ装置１４により再生される信号は、通話装置１６を通じてヘッドホンあるいはイヤホン等の再生装置２４に向け伝送される。
【００１６】
通話装置１６には、赤外線ラジエータ１７とアンテナ１８とが設けられている。赤外線ラジエータ１７は、ＤＶＤ装置１４等の音源装置により再生される音響信号を赤外線信号に変換して出力する装置である。利用者２５は、例えば、ディスプレイ１２の正面に据え付けられた椅子２６に座って再生装置２４を装着し、ＤＶＤ装置１４により再生されるビデオなどを鑑賞する。再生装置２４は、赤外線ラジエータ１７から発信された赤外線ビームを受信して復調し、音を再生するように構成されている。
【００１７】
このような状態で利用者２５がビデオなどを鑑賞している時に、通話装置１６は、電話機２０やインタホン２１、あるいは利用者２５以外の他の人２７が発する話声を受け入れるマイク２２、の出力信号の割り込みを許容する。すなわち、ＤＶＤ装置１４において画像や音が再生され、これを再生装置２４で受信している途中で、例えば、電話機２０のベルが鳴った時には、通話装置１６は、その信号をアンテナ１８で受信して、優先的に電話機２０の呼出し音を割り込ませ、再生装置２４に送信する。
【００１８】
また、インタホン２１を来客が操作したような場合に、その音を優先的に割り込ませて再生装置２４に送信する。マイク２２で受け入れた音声もＤＶＤ装置１４により再生される音声より優先して再生装置２４に伝えられる。電話機２０やインタホン２１やマイク２２の出力信号は、いずれも、電波を利用して無線で通話装置１６に送られる。もちろん、有線伝送を利用しても構わない。
【００１９】
図２は、上記のような機能を実現するための通話装置の具体的な構成を示すブロック図である。
図２に示すように通話装置１６は、ＤＶＤ装置１４の再生する音響信号を受け入れて後続回路に転送するオーディオ出力回路３１とこれに接続された割り込み制御回路３３、割り込み音受信回路３２、切り換え音発生回路３４、赤外線ラジエータ１７、アンテナ１８などを備える。割り込み音指定回路３８を備える。
【００２０】
オーディオ出力回路３１は、ＤＶＤ装置１４が出力する音響信号を受け入れて、例えば、レベル調整をして割り込み制御回路３３に供給する機能を持つ。割り込み音受信回路３２は、アンテナ１８を通じて電話機２０、インタホン２１、あるいはマイク２２の信号を受信する機能と、その信号を割り込み音信号４２として割り込み制御回路３３に向けて出力する機能を持つ。なお、割り込み音受信回路３２は、割り込み音信号４２のレベルの大小を判定する。このレベルが一定強度以上と判断すると、割り込み制御回路３３に切り換え制御信号４３を出力する。
【００２１】
割り込み制御回路３３は、割り込み音信号４２のレベルが一定以上のときに割り込みを許容する機能を持つ。一定以上のレベルの信号のみを割り込ませるのは、雑音による割り込み発生を防ぐためである。割り込み音指定回路３８は、例えば、マイクの音声のみ割り込みを認めるとか、インタホンの音のみ割り込みを認めるというように、割り込みを認める対象を選択するスイッチである。例えば、電話機２０、インタホン２１、あるいはマイク２２から送信される電波の周波数が異なれば、ラジオチューナのようにして、選択できる。
【００２２】
割り込み制御回路３３は、切り換え制御信号４３が入力すると、オーディオ出力回路３１の出力信号を抑圧して、割り込み音受信回路３２の出力信号を赤外線ラジエータに供給するよう動作する。
【００２３】
切り換え音発生回路３４は、切り換え制御信号４３を検出し、オーディオ信号４１から割り込み音信号４２に出力が切り換わることを利用者に知らせるための、切り換え音を発生する機能を持つ。
【００２４】
赤外線ラジエータ１７は、割り込み制御回路３３の出力する信号を赤外線信号に変調して送信する機能を持つ。再生装置２４は、赤外線ラジエータ１７の出力する赤外線を受信し、音響信号を復調してイヤホンやヘッドホンなどのレシーバなどを鳴らす機能を持つ。
【００２５】
図２に示すインタホン２１は、インタホンによるベル音をベル音送信機３７を用いて電波に変えて送信する機能を持つ。電話機２０は、電話機の着呼音を着呼音送信機３６により電波に変えて通話装置に送信する。マイク音送信機３５は、マイク２２が受け入れた音声信号を電波に変換して通話装置に送信する機能を持つ。
【００２６】
上記の装置は、インタホン２１、電話機２０、あるいはマイク２２の出力を受け入れることにより割り込み音信号４２を発生し、オーディオ信号４１の出力を止めて再生装置２４に送信する。この割り込み処理の際に利用者が割り込みが発生したことに気付くように、切り換え音発生回路３４から、適当な他の音と区別できるような音を発生する。
【００２７】
図３は、上記のような装置の具体的な動作を示すタイミングチャートである。
図３の横軸は、時間を示す。例えば、図３の信号Ｓ１は、時刻ｔ１から時刻ｔ２まで連続的に出力されるオーディオ信号を示す。また、信号Ｓ２は、マイク２２から出力された音声信号を示す。この信号Ｓ２は、時刻ｔ３からｔ４の間、時間Ｔ１だけ、通話装置に入力したとする。また、信号Ｓ３は、時刻ｔ５から時刻ｔ６までの間に発せられた電話機の着呼音である。この着呼音は例えば、Ｔ２時間鳴ったとする。
【００２８】
信号Ｓ４は、時刻ｔ７と時刻ｔ８に発せられたインタホンのチャイムの音である。信号Ｓ５は、割り込み音を受信した時に、切り換え音発生回路３４が発生する切り換え音の信号である。信号Ｓ６は、最終的に再生装置２４によって受信される音響信号の構成を示す。
【００２９】
図３に示すように、例えば、時刻ｔ３からｔ４までの間、マイク２２からの音声が通話装置に入力したとする。時刻ｔ３でこの音声が検出され、ごく短時間、信号Ｓ５の切り換え音が発生する。この信号Ｓ５と信号Ｓ２とが信号Ｓ１に対する割り込み信号として処理される。従って、信号Ｓ５と信号Ｓ２が赤外線ラジエータ１７から出力される間、信号Ｓ１の出力は停止される。
【００３０】
同様に電話機２０が着呼音を発生し、割り込み音受信回路３２が信号Ｓ３を検出すると、切り換え音が再び生成され、信号Ｓ５と信号Ｓ３の割り込みが行われる。この間信号Ｓ１の出力は停止される。なお、この図３の例では、インタホンのチャイム音は明らかに割り込み音として認識できるから、信号Ｓ５を発生させず、無条件で信号Ｓ１に信号Ｓ４を割り込ませるようにしている。
【００３１】
上記のように通話装置を構成すると、利用者がＤＶＤ装置などを利用して映画や音楽などを楽しんでいる時に電話機が鳴ったり、顧客がインタホンを操作したり、あるいは家族がマイク２２を利用して声をかけたりした時、ＤＶＤ装置の出力音が一時的に抑制されて、該当する音が割り込む。これによって、重要な情報を聞き逃すことがない。
【００３２】
こうした通話装置は、ごく一般の人に広く利用することができる。しかしながら、特に高齢者などにとっては、割り込み音を比較的強い音になるよう制御し、様々な外部からの呼びかけに対し、対応しやすくすることができる。従って、介護用の装置などについて、この装置を広く利用することができる。なお、割り込みを認める信号の送受信には無線を使用したが、全て有線でも構わない。割り込みを認めるものは、任意に選定できる。
【００３３】
以上説明したように、本発明の通話装置によれば、家族の呼び声、電話機の呼出し音、玄関先の呼出し用インタホンの音等の生活音は、テレビジョンやＤＶＤの音響信号に割り込みをかけて優先的に耳に届く。このとき、割り込み音であることを示す識別音を含めるようにすれば、テレビジョンやＤＶＤの音で無いことを利用者が容易に認識できる。これにより、例えば、耳の不自由な人のみならず、ヘッドホンを使用している利用者に、特定の情報のみを割り込ませて伝えることができる。
【図面の簡単な説明】
【００３４】
【図１】実施例１の通話装置の概要を示す説明図である。
【図２】同通話装置の具体的な構成を示すブロック図である。
【図３】同通話装置の具体的な動作を示すタイミングチャートである。
【符号の説明】
【００３５】
１２  ディスプレイ
１４  ＤＶＤ装置
１６  通話装置
１８  アンテナ
２０  電話機
２１  インタホン
２２  マイク
２４  再生装置
２５  利用者
３１  オーディオ出力回路
３２  割り込み音受信回路
３３  割り込み制御回路
３４  切り換え音発生回路
３８  割り込み音指定回路
４１  オーディオ信号
４２  割り込み音信号
４３  切り換え制御信号
【図１】
2006180027.tif 000003
【図２】
2006180027.tif 000004
【図３】
2006180027.tif 000005